(57)【特許請求の範囲】
【請求項１】
建築物内の基礎床上に間隔をおいて平行に配設された複数本の根太材間に床パネルを架設した状態で支持させて、前記基礎床と床パネルとの間に配線又は配管材を配設可能とする配設空間を形成する二重床構造であって、前記床パネルは複数本の根太材上に配設される第１架設位置と、同第１架設位置から前記根太材の長さ方向に対して直交する方向へ移動されて根太材上に架設支持される第２架設位置とを水平移動可能に形成されるとともに、前記第２架設位置における上方への浮き上がりを防止すべく当該根太材の側部に形成された被係合部に係合可能な係合部を備え、
前記第２架設位置にある床パネルの第１架設位置への移動を防止すべく当該床パネルを根太材に位置決めする位置決め部材を備えた二重床構造。
【請求項２】
前記位置決め部材は第２架設位置にある床パネルの上方から同床パネル及び根太材に当接するように設けられる請求項１に記載の二重床構造。
【請求項３】
前記位置決め部材は第２架設位置にある床パネルと、根太材との間に形成される隙間に配設される請求項２に記載の二重床構造。
【請求項４】
前記隙間は、根太材の前記被係合部とは異なる側部と、床パネルとの間に形成される請求項３に記載の二重床構造。
【請求項５】
前記床パネルには前記位置決め部材を挿通可能とする挿通孔が形成され、床パネルが第２架設位置にある状態において前記挿通孔から前記隙間に位置決め部材が挿通可能に形成されている請求項３又は請求項４に記載の二重床構造。
【請求項６】
前記床パネルは板材を相対向するように折り曲げて溝が形成されているとともに、その溝に前記挿通孔が形成されている請求項５に記載の二重床構造。
【請求項７】
前記位置決め部材を床パネルから抜脱して床パネルの根太材に対する位置決めを解除した状態において、根太材の長さ方向に直交する方向へ延びて隣接する床パネル同士は互いに干渉することなく第２架設位置から第１架設位置まで移動して床パネルを根太材上から取り外し可能とするために、前記第２架設位置で隣接する床パネル同士の間には間隙が形成されている請求項１〜請求項６のいずれか一項に記載の二重床構造。
【請求項８】
前記間隙の間隔は床パネル上に配設される仕上材が、沈み込んで同仕上材上の歩行の妨げとならない大きさに形成されている請求項７に記載の二重床構造。
【請求項９】
前記被係合部は根太材の長さ方向に沿って延びる側部に突設された支持突部により形成され、前記係合部は床パネルの第１架設位置から第２架設位置への移動により、前記支持突部の下面に当接して第２架設位置にある床パネルの上方への浮き上がりを防止するように形成されている請求項１〜請求項８のいずれか一項に記載の二重床構造。
【請求項１０】
前記床パネルは少なくとも３つの根太材上に架設支持されている請求項１〜請求項９のいずれか一項に記載の二重床構造。
【発明の詳細な説明】
【０００１】
【発明の属する技術分野】
この発明は、建築物内の基礎床上に配設される複数本の根太材と、それら根太材上に架設支持される床パネルとにより形成される二重床構造に関するものである。
【０００２】
【従来の技術】
従来よりコンピュータルーム等においては、各コンピュータに接続された多数の配線や各コンピュータに対する電源を確保するためのケーブルが床下に収納配線されている。そして、床面には前記ケーブルに接続されたコンセントが設置され、そのコンセントに各コンピュータのプラグが接続されて電源が供給されるようになっている。ケーブルを床下に収納配線するための床構造としては、基礎床と、その基礎床面上に配設された複数本の根太材上に架設される床パネルとよりなる二重床構造が知られている。そして、基礎床と床パネルとの間に形成される配設空間に前記配線、ケーブル又は配管材を配設可能になっている。
【０００３】
前記二重床構造としては特許第２８１９３９０号に開示される構成のものが知られている。この二重床構造において使用される根太材は、複数の支持脚と、それら支持脚に支持される長尺状をなす支持部とよりなり、支持部の長さ方向に延びる両側縁部には上方に突出する突条が形成されている。一方、床パネルには下面に前記突条が嵌合可能な係合部が形成されている。
【０００４】
そして、基礎床面上に複数の根太材を所定間隔をおいて互いに平行をなすように配設し、一つの根太材の突条に床パネルの一方の係合部を係合し、隣接する根太材の突条に他方の係合部を係合して根太材上に床パネルを架設支持する。続けて複数の床パネルを根太材上に架設支持させることにより、根太材により基礎床面より所定高さ上方位置に複数の床パネルが配設され、それら床パネルと基礎床との間に配設空間が形成されるようになっている。
【０００５】
【発明が解決しようとする課題】
ところが、上記従来の二重床構造によれば、床パネルは根太材又は基礎床に対して固定されていない。そのため、例えば地震、その他の振動等により床パネルが根太材から浮き上がってしまい、床パネルのがたつきやそれに伴う騒音の発生という問題があった。また、前記コンセントに差し込まれたプラグを抜くためにそのプラグを上方へ引っ張ったとき、床パネルが浮き上がってしまうとともに、コンセントに接続されたケーブル等が損傷を受けるおそれがあるという問題があった。
【０００６】
この発明は、このような従来技術に存在する問題点に着目してなされたものである。その目的とするところは、床パネルの上方への浮き上がりを防止して配設することができる二重床構造を提供することにある。
【０００７】
【課題を解決するための手段】
上記の目的を達成するために、請求項１に記載の発明の二重床構造は、建築物内の基礎床上に間隔をおいて平行に配設された複数本の根太材間に床パネルを架設した状態で支持させて、前記基礎床と床パネルとの間に配線又は配管材を配設可能とする配設空間を形成する二重床構造であって、前記床パネルは複数本の根太材上に配設される第１架設位置と、同第１架設位置から前記根太材の長さ方向に対して直交する方向へ移動されて根太材上に架設支持される第２架設位置とを水平移動可能に形成されるとともに、前記第２架設位置における上方への浮き上がりを防止すべく当該根太材の側部に形成された被係合部に係合可能な係合部を備え、前記第２架設位置にある床パネルの第１架設位置への移動を防止すべく当該床パネルを根太材に位置決めする位置決め部材を備えたものである。
【０００８】
請求項２に記載の発明の二重床構造は、請求項１に記載の発明において、前記位置決め部材は第２架設位置にある床パネルの上方から同床パネル及び根太材に当接するように設けられるものである。
【０００９】
請求項３に記載の発明の二重床構造は、請求項２に記載の発明において、前記位置決め部材は第２架設位置にある床パネルと、根太材との間に形成される隙間に配設されるものである。
【００１０】
請求項４に記載の発明の二重床構造は、請求項３に記載の発明において、前記隙間は、根太材の前記被係合部とは異なる側部と、床パネルとの間に形成されるものである。
【００１１】
請求項５に記載の発明の二重床構造は、請求項３又は請求項４に記載の発明において、前記床パネルには前記位置決め部材を挿通可能とする挿通孔が形成され、床パネルが第２架設位置にある状態において前記挿通孔から前記隙間に位置決め部材が挿通可能に形成されているものである。
【００１２】
請求項６に記載の発明の二重床構造は、請求項５に記載の発明において、前記床パネルは板材を相対向するように折り曲げて溝が形成されているとともに、その溝に前記挿通孔が形成されているものである。
【００１３】
請求項７に記載の発明の二重床構造は、請求項１〜請求項６のいずれか一項に記載の発明において、前記位置決め部材を床パネルから抜脱して床パネルの根太材に対する位置決めを解除した状態において、根太材の長さ方向に直交する方向へ延びて隣接する床パネル同士は互いに干渉することなく第２架設位置から第１架設位置まで移動して床パネルを根太材上から取り外し可能とするために、前記第２架設位置で隣接する床パネル同士の間には間隙が形成されているものである。
【００１４】
請求項８に記載の発明の二重床構造は、請求項７に記載の発明において、前記間隙の間隔は床パネル上に配設される仕上材が、沈み込んで同仕上材上の歩行の妨げとならない大きさに形成されているものである。
【００１５】
請求項９に記載の発明の二重床構造は、請求項１〜請求項８のいずれか一項に記載の発明において、前記被係合部は根太材の長さ方向に沿って延びる側部に突設された支持突部により形成され、前記係合部は床パネルの第１架設位置から第２架設位置への移動により、前記支持突部の下面に当接して第２架設位置にある床パネルの上方への浮き上がりを防止するように形成されているものである。
【００１６】
請求項１０に記載の発明の二重床構造は、請求項１〜請求項９のいずれか一項に記載の発明において、前記床パネルは少なくとも３つの根太材上に架設支持されているものである。
【００１７】
【発明の実施の形態】
以下、この発明をビル内の二重床構造に具体化した一実施形態を、図面に基づいて詳細に説明する。
【００１８】
図１に示すように、二重床構造は建築物としてのビル内の基礎床１１面上に間隔をおいて平行に配設された複数本の長尺状の根太材１２と、各根太材１２上に架設支持される複数の第１及び第２床パネル１３ａ，１３ｂとよりなるものである。そして、前記基礎床１１と第１及び第２床パネル１３ａ，１３ｂとの間に配線又は配管材を配設可能とする配設空間が形成されている。
【００１９】
まず、前記根太材１２について説明すると、図２に示すように、根太材１２は４つの金属材料製の支持脚１４と、各支持脚１４に支持される合成樹脂材料製の支持体１５と、各支持体１５の両側に取付支持される一対の金属材料製のＣ型鋼１６とより構成されている。図３に示すように、前記各支持脚１４はそれぞれ平面四角形状をなす接地板１４ａを備え、各接地板１４ａ上にはそれぞれボルト体１４ｂが立設されている。各ボルト体１４ｂにはそれぞれナット体１４ｃが螺合されているとともに、各ナット体１４ｃの上面にはそれぞれワッシャ１４ｄが支持され、それらワッシャ１４ｄを介してナット体１４ｃ上に前記支持体１５が支持されるようになっている。
【００２０】
ここで前記支持体１５について説明すると、各支持体１５はそれぞれ略直方体状をなし、その両長辺側の外面下部には支持体１５の長さ方向に沿って外方へ突出する支持片１５ａが形成されている。各支持体１５の中央部には支持体１５の上下方向へ貫通する貫通孔１５ｂが形成されている。また、各支持体１５の長さ方向の一端側には、それぞれ前記貫通孔１５ｂから支持体１５を上下方向に貫通する状態で前記一端側へ延びるスリット１５ｃが形成され、そのスリット１５ｃの幅が縮まった分だけ貫通孔１５ｂの内径を縮めることができるようになっている。各支持体１５には、同支持体１５の横方向に貫通する取付孔１５ｄが２箇所に形成され、一方の取付孔１５ｄは前記スリット１５ｃを貫通している。また、図３に破線で示すように、支持体１５の一側面において、一方の取付孔１５ｄに対応する位置にはナット１５ｆが埋設されている。
【００２１】
図２に示すように、各支持体１５の両支持片１５ａ上にはそれぞれＣ型鋼１６が支持されているとともに、一方のＣ型鋼１６から各取付孔１５ｄに対してビス１５ｅがそれぞれ挿通され、両ビス１５ｅは支持体１５及び他方のＣ型鋼１６を貫通している。一方のビス１５ｅは支持体１５に埋設されたナット１５ｆ螺合され、他方のビス１５ｅには、他方のＣ型鋼１６の外面からナット１５ｆが螺合されている。そして、その他方のビス１５ｅとナット１５ｆとによりＣ型鋼１６が挟持されるとともに、支持体１５の両側に取付支持されている。
【００２２】
従って、図２に示すように、根太材１２は４つの支持体１５の貫通孔１５ｂ内にボルト体１４ｂが嵌入されて、支持体１５に支持脚１４が取り付けられている。図５に示すように、各支持脚１４のナット体１４ｃ上にはワッシャ１４ｄを介して支持体１５が支持されて両Ｃ型鋼１６が支持脚１４に支持されている。前記一方のビス１５ｅのナット１５ｆに対する螺合量が少なく各貫通孔１５ｂが縮径されていない状態（非縮径状態）において、貫通孔１５ｂ内をボルト体１４ｂを上下にスライド移動させることができ、Ｃ型鋼１６の支持脚１４に対する位置を調節することができるようになっている。
【００２３】
一方、貫通孔１５ｂの前記非縮径状態において、一方のナット１５ｆに対してビス１５ｅを螺進させることによりスリット１５ｃ、即ち貫通孔１５ｂをスリット１５ｃの幅分だけ縮径させて貫通孔１５ｂの内周面によりボルト体１４ｂの上部外周面を挟持して支持体１５、即ち両Ｃ型鋼１６をボルト体１４ｂの所定位置に位置決めできるようになっている。図２に示すように、根太材１２の両側面において、両Ｃ型鋼１６の長さ方向に沿って連続して延びる上下両縁部により、それぞれ根太材１２の側方へ突出する被係合部としての支持突部１７が形成され、上面には消音パッキン１８が接合されている。
【００２４】
次いで、各床パネル１３ａ，１３ｂについて説明すると、図１に示すように、各種床パネル１３ａ，１３ｂはその長さ方向への長さに依存して第１床パネル１３ａと第２床パネル１３ｂの２種類に設定されている。図４（ａ）、（ｂ）に示すように、第１及び第２床パネル１３ａ，１３ｂ（図４では第１床パネル１３ａのみ図示）は長方形状をなす金属板の長辺側の両側縁を長さ方向に沿って折り曲げ、さらに、長さ方向へ延びる中心線に沿った部分を互いに相対向して凹溝１９ａを形成するように折り曲げて、各折り曲げ部分に折り曲げ片１９を形成して構成されている。そして、各折り曲げ片１９により第１及び第２床パネル１３ａ，１３ｂに所要の剛性を付与している。
【００２５】
図４（ｂ）に示すように、第１床パネル１３ａの各折り曲げ片１９の互いに相対向する一端縁｛図４（ｂ）では左端縁｝及びその一端縁から長さ方向に沿って所定間隔をおいた３箇所には、それぞれ第１床パネル１３ａの一端側へ突出する係合部としての係合片２０が切り欠き形成されている。各折り曲げ片１９の中央３箇所の各係合片２０の先端縁と相対向する折り曲げ片１９との間には根太材１２上面が通過可能な切り欠き溝１９ｃが形成されている。また、各係合片２０と第１床パネル１３ａの裏面との間には、それぞれ前記支持突部１７が係合可能な係合溝２１が形成されている。第２床パネル１３ｂの各折り曲げ片１９の互いに相対向する一端縁及び中央部にはそれぞれ前記係合片２０及び係合溝２１が形成され、中央部には切り欠き溝１９ｃが形成されている。
【００２６】
第１及び第２床パネル１３ａ，１３ｂの他端部にはそれぞれ係止片１９ｄが形成され、根太材１２の上面に係止可能になっている。図４（ａ）に示すように、第１及び第２床パネル１３ａ，１３ｂの各凹溝１９ａに係合片２０及び切り欠き溝１９ｃが切り欠き形成されることにより、第１床パネル１３ａの凹溝１９ａに沿った中央３箇所にはそれぞれ位置決め部材が挿通可能な挿通孔１９ｂが形成され、第２床パネル１３ｂの凹溝１９ａの中央１箇所には挿通孔１９ｂが形成されている。
【００２７】
そして、図１に示すように、複数本の根太材１２を一定間隔をおいて互いに平行をなすように基礎床１１上に配設し、各床パネル１３ａ，１３ｂの各切り欠き溝１９ｃを根太材１２上面を通過させて根太材１２の上面に各床パネル１３ａ，１３ｂの裏面及び係止片１９ｄを支持させる。その支持状態において、第１又は第２床パネル１３ａ，１３ｂはその長さ方向が各根太材１２の長さ方向に対して直交するように根太材１２上に配設され、第１床パネル１３ａと第２床パネル１３ｂとはそれぞれ長さ方向に沿って隣接する状態で配設されるようになっている。
【００２８】
その配設状態において、根太材１２間に第１又は第２床パネル１３ａ，１３ｂが架設されるとともに、根太材１２の上面に各床パネル１３ａ，１３ｂが支持されて第１架設位置に配置されるようになっている。なお、第１架設位置にある第１床パネル１３ａと第２床パネル１３ｂの相対向する端部間には５ｍｍの間隙２５が形成され、両床パネル１３ａ，１３ｂが互いに干渉しないようになっている。
【００２９】
さらに、図７に２点鎖線に示す第１架設位置から第１又は第２床パネル１３ａ，１３ｂを根太材１２の長さ方向に対して直交する方向、即ち各床パネル１３ａ，１３ｂの一端側方向へ各根太材１２上を水平移動させることができるようになっている。すると、図７に実線で示すように、根太材１２の一側面側の支持突部１７に各係合溝２１が係合するとともに、支持突部１７の下面が係合片２０の上面に係合して第１又は第２床パネル１３ａ，１３ｂが前記第１架設位置とは別位置の第２架設位置に架設支持されるようになっている。このときも、第１及び第２床パネル１３ａ，１３ｂの相対向する端部間には５ｍｍの間隙２５が形成され、両床パネル１３ａ，１３ｂが互いに干渉しないようになっている。なお、第１床パネル１３ａが第１架設位置にあり、第２床パネル１３ｂが第２架設位置にあるとき、第１床パネル１３ａと第２床パネル１３ｂの相対向する端部間には１ｃｍの間隙２５が形成されている。
【００３０】
第２架設位置にある第１又は第２床パネル１３ａ，１３ｂの各挿通孔１９ｂからは、根太材１２の一側面側の支持突部１７とは異なる側部、即ち他側面側のＣ型鋼１６と各切り欠き溝１９ｃ内側縁との間に形成される隙間２３に位置決め部材としてのくさび２２が配設されるようになっている。そして、前記くさび２２は隙間２３内において、他側面側のＣ型鋼１６と各切り欠き溝１９ｃ内側縁とに当接するようになっている。
【００３１】
図１及び図７に示すように、前記くさび２２は金属材料又は合成樹脂材料により厚みが前記凹溝１９ａの間隔とほぼ同じに形成されている。くさび２２の下端部には前記隙間２３に嵌合可能な嵌合片２２ａが突設され、その嵌合片２２ａの一側面上部には凹溝１９ａの内底面に係止可能な係止凸部２２ｂが形成されている。さらに、係止凸部２２ｂの一側面上部には係止凸部２２ｂより外方へ突設する突片２２ｃが形成され、くさび２２の他側面は直線状に形成されている。
【００３２】
次いで、二重床構造の施工方法について以下に記載する。
さて、図１に示すように、ビルの基礎床１１面上に複数本の根太材１２を接合し、図示しない水平器等を使用してＣ型鋼１６上面が水平をなすようＣ型鋼１６の高さを調節し所定位置に位置決めする。
【００３３】
続いて、図１及び図６に示すように、基礎床１１上に配置された根太材１２に第１床パネル１３ａを第１架設位置に配置し、続いて、第１床パネル１３ａの長さ方向に沿って第２床パネル１３ｂを配置し、第１架設位置に配置する。このとき、第１床パネル１３ａと第２床パネル１３ｂとの間には間隙２５が形成され、両床パネル１３ａ，１３ｂが互いに干渉しない。
【００３４】
次に、図１及び図７に２点鎖線で示すように、第１架設位置にある第１及び第２床パネル１３ａ，１３ｂをそれぞれ基礎床１１の他端（図１では左端）側方向へ根太材１２上を水平移動させる。すると、図７に実線で示すように、第１及び第２床パネル１３ａ，１３ｂがそれぞれ第２架設位置に配置される。このとき、１本の根太材１２の支持突部１７に対して両床パネル１３ａ，１３ｂの幅方向に沿って３箇所で係合し、それと同時に、第１床パネル１３ａの３箇所の挿通孔１９ｂに隙間２３が形成され、第２床パネル１３ｂの中央１箇所の挿通孔１９ｂに隙間２３が形成される。このときも、第１床パネル１３ａと第２床パネル１３ｂとの間には間隙２５が形成され、両床パネル１３ａ，１３ｂが互いに干渉しない。
【００３５】
次いで、図８に示すように、各床パネル１３ａ，１３ｂの上方からくさび２２を前記挿通孔１９ｂを通過させて隙間２３に嵌合片２２ａを嵌合するとともに、係止凸部２２ｂの下面を凹溝１９ａの内底面上に当接させてくさび２２を凹溝１９ａ内に収容する。すると、くさび２２の他側面と根太材１２の他側面側のＣ型鋼１６とが当接するとともに、嵌合片２２ａと切り欠き溝１９ｃの内側縁とが当接して根太材１２の切り欠き溝１９ｃ内での横方向への移動が規制される。従って、根太材１２上の第２架設位置に架設支持された第１及び第２床パネル１３ａ，１３ｂが根太材１２に対して上方及び側方へ移動するのが規制されるとともに、根太材１２上でのがたつきが防止される。このとき、図１に示すように、根太材１２の長さ方向に沿って隣接する第１及び第２床パネル１３ａ，１３ｂ同士は、各端面位置がずれるように交互に配置される。従って、基礎床１１面の一端に設置された根太材１２側から第１又は第２床パネル１３ａ，１３ｂの長さ方向に外力が作用したとき、その外力が各床パネル１３ａ，１３ｂに分配して作用して全ての根太材１２に作用する。
【００３６】
最後に、複数枚の第１及び第２床パネル１３ａ，１３ｂを根太材１２上全体に配設し、図８に示すように、それら床パネル１３ａ、１３ｂ上に仕上材２４を配置して基礎床１１と第１及び第２床パネル１３ａ，１３ｂとにより二重床構造が構成される。このとき、図１に示すように、第１床パネル１３ａは等間隔をおいて５本の根太材１２に支持され、第２床パネル１３ｂは等間隔をおいて３本の根太材１２に支持されている。さらに、第１及び第２床パネル１３ａ，１３ｂには長さ方向に沿った３箇所の折り曲げ片１９により所要の剛性が付与されている。従って、第１及び第２床パネル１３ａ，１３ｂ上の人や載置されたものの荷重により各床パネル１３ａ，１３ｂの変形等が防止される。そして、基礎床１１と床パネル１３との間にケーブル等の配線又は鞘管等の配管材が配設可能な配設空間が形成される。このとき、前記間隙２５の間隔は仕上材２４上の歩行の妨げにならない程度（５ｍｍ）に設定されている。
【００３７】
一度形成された二重床の配設空間に配線としてのケーブルを配線する際、まず、凹溝１９ａの上方から各くさび２２の突片２２ｃに指を係止してくさび２２を上方へ引き抜く。そして、各嵌合片２２ａと隙間２３との嵌合状態を解除してくさび２２をそれぞれ隙間２３から抜脱し、第１又は第２床パネル１３ａ，１３ｂの根太材１２に対する固定状態を解除する。次いで、第２架設位置にある第１又は第２床パネル１３ａ，１３ｂを他端側方向へ水平移動させる。すると、前記隙間２３分だけ第１又は第２床パネル１３ａ，１３ｂは他端側へ移動して支持突部１７と各係合片２０との係合状態が解除されるとともに、第１又は第２床パネル１３ａ，１３ｂが第１架設位置に配置される。
【００３８】
このとき、各床パネル１３ａ，１３ｂの長さ方向に沿って隣接する第１床パネル１３ａと第２床パネル１３ｂとの間には１ｃｍの間隙２５が形成される。そして、その間隙２５に指を挿入して第１又は第２床パネル１３ａ，１３ｂを持ち上げることができ、第１又は第２床パネル１３ａ，１３ｂの根太材１２からの取り外しが容易に行われる。続いて、ケーブルを配設空間に配線した後、上記と同様に第１又は第２床パネル１３ａ，１３ｂを根太材１２に固定する。その結果、二重床の床下にケーブルが配線される。
【００３９】
前記の実施形態によって発揮される効果について、以下に記載する。
（１）  第２架設位置に配置された第１及び第２床パネル１３ａ，１３ｂの係合片２０と支持突部１７との係合により第１及び第２床パネル１３ａ，１３ｂの上方への移動を規制することができ、くさび２２により第１及び第２床パネル１３ａ，１３ｂの側方への移動を規制することができる。従って、根太材１２上に架設支持された第１及び第２床パネル１３ａ，１３ｂの根太材１２上でのがたつきやそれによる騒音の発生を防止することができる。
【００４０】
（２）  各床パネル１３ａ，１３ｂにコンセントが設置され、そのコンセントに差し込まれたプラグを上方へ引っ張ったとき、基礎床１１に固定された根太材１２の支持突部１７の下面に係合片２０の上面が係合する。そのため、プラグ及びコンセントと一緒に各床パネル１３ａ，１３ｂが浮き上がるのを防止することができ、その浮き上がりによりケーブルが損傷を受けたりするおそれをなくすことができる。
【００４１】
（３）  くさび２２は、突片２２ｃに指を係止して上方へ引っ張ることにより容易に抜脱することができるため、第１及び第２床パネル１３ａ，１３ｂの根太材１２に対する固定状態を容易に解除することができる。従って、例えばビスにより各床パネル１３ａ，１３ｂが根太材１２に固定され、そのビスを抜き取る作業が必要な従来と異なり、配設空間へのケーブル等の配設作業を容易に行うことができる。
【００４２】
（４）  隙間２３に嵌合片２２ａを嵌合することにより第１及び第２床パネル１３ａ，１３ｂを根太材１２上に固定することができる。従って、ビスを第１及び第２床パネル１３ａ，１３ｂから根太材１２にねじ込んで固定する場合と異なり、第１及び第２床パネル１３ａ，１３ｂの根太材１２への固定作業を容易に行うことができる。
【００４３】
（５）  第１及び第２床パネル１３ａ，１３ｂの幅方向の相対向する位置には３箇所に係合片２０及び係合溝２１が形成されているため、１本の根太材１２の支持突部１７に対して３箇所で係合する。従って、１本の根太材１２の支持突部１７に対して１箇所で係合している場合と比較して、第１及び第２床パネル１３ａ，１３ｂの移動を確実に規制することができる。
【００４４】
（６）  支持突部１７は根太材１２の両側面に長さ方向に沿って連続して延びて形成されている。そのため、支持突部１７が間隔をおいて形成されている場合と異なり、係合片２０さらには係合溝２１を支持突部１７に位置合わせする必要がない。従って、根太材１２に対する各床パネル１３ａ，１３ｂの配設作業を容易に行うことができる。
【００４５】
（７）  支持突部１７は根太材１２の長さ方向に沿った両側面に形成されているため、係合片２０を根太材１２のいずれの方向からも支持突部１７に係合させることができる。従って、第１架設位置から第２架設位置への水平移動方向を考慮せずに各床パネル１３ａ，１３ｂを根太材１２上に架設支持させることができ、その架設支持作業を速やかに行うことができる。
【００４６】
（８）  根太材１２の長さ方向に沿って隣接する第１床パネル１３ａ又は第２床パネル１３ｂ同士は各端部が同一直線上に位置しないように交互に配置されている。そのため、第１又は第２床パネル１３ａ，１３ｂの長さ方向に外力が作用したとき、その外力を分配して根太材１２が全体的に倒れたりするおそれをなくすことができる。
【００４７】
（９）  第１床パネル１３ａは長さ方向に沿って支持突部１７と４箇所で係合し、第２床パネル１３ｂは支持突部１７と２箇所で係合する。そのため、各床パネル１３ａ，１３ｂが支持突部１７と１箇所で係合する場合と異なり、上方への浮き上がりを効果的に防止することができる。
【００４８】
（１０）  第２架設位置にある第１又は第２床パネル１３ａ，１３ｂの切り欠き溝１９ｃの内端縁と根太材１２のＣ型鋼１６との間に形成される隙間２３にくさび２２が嵌合される。そのため、隙間２３が形成されず、くさび２２を根太材１２に直接打ち込む場合と異なり、第１及び第２床パネル１３ａ，１３ｂの施工作業の簡易化を図ることができる。
【００４９】
（１１）  根太材１２の一側面側において、係合片２０と支持突部１７とが係合し、他側面側において、隙間２３にくさび２２が打ち込まれるため、根太材１２はくさび２２を介して切り欠き溝１９ｃの相対向する内側面に挟持される。そのため、根太材１２の切り欠き溝１９ｃ内での側方への移動を確実に防止することができ、第１及び第２床パネル１３ａ，１３ｂががたつくのを防止することができる。
【００５０】
（１２）  第１及び第２床パネル１３ａ，１３ｂにはそれぞれ挿通孔１９ｂが形成されている。そのため、第１及び第２床パネル１３ａ，１３ｂの施工現場において、くさび２２挿通のための孔を形成する手間を省略することができ、二重床の施工作業の簡易化を図ることができる。また、各床パネル１３ａ，１３ｂに挿通孔１９ｂが形成されず、第１及び第２床パネル１３ａ，１３ｂを貫通させて根太材１２にくさび２２を打ち込む場合と異なり二重床の施工作業を容易に行うことができる。
【００５１】
（１３）  凹溝１９ａにより第１及び第２床パネル１３ａ，１３ｂにくさび２２を収容可能な深さが形成され、各床パネル１３ａ，１３ｂ上面からくさび２２が突出するのを防止することができる。
【００５２】
（１４）  第１又は第２床パネル１３ａ，１３ｂを第１架設位置へ配置したとき、根太材１２の長さ方向に直交する方向に沿って配置された第１及び第２床パネル１３ａ，１３ｂの端部間には１ｃｍの間隙２５が形成されるため、その間隙２５に指を挿入して第１又は第２床パネル１３ａ，１３ｂの根太材１２上への配設及び根太材１２からの取り外し作業を容易に行うことができる。従って、ケーブルの配設空間への配線作業の短時間化を図ることができる。
【００５３】
（１５）  同様に、間隙２５の間隔は歩行の妨げとならない程度に設定されているため、第１及び第２床パネル１３ａ，１３ｂ上の歩行を容易に行うことができ、ケーブル等の配線作業を円滑に行うことができる。
【００５４】
（１６）  第１床パネル１３ａは等間隔をおいた５本の根太材１２上に架設支持され、第２床パネル１３ｂは３本の根太材１２上に架設支持される。さらに、各床パネル１３ａ，１３ｂには３箇所の折り曲げ片１９により所要の剛性が付与されている。そのため、各床パネル１３ａ，１３ｂ上に重いものが載置されてもその荷重を確実に支持することができ、二重床構造の強度を確保することができる。
【００５５】
なお、本実施形態は、次のように変更して具体化することも可能である。
・  実施形態では、根太材１２の両側面に支持突部１７を形成したが、根太材１２のいずれか一側面に支持突部１７を形成してもよい。また、実施形態では根太材１２の長さ方向に沿って支持突部１７を形成したが、支持突部１７を根太材１２の長さ方向に沿った所定又は任意の間隔をおいた位置に形成してもよい。
【００５６】
・  実施形態では第１床パネル１３ａに４箇所に係合片２０を形成したが、４箇所未満又は５箇所以上係合片２０を形成し、係合片２０に対応するように根太材１２の配設量を変更してもよい。
【００５７】
・  根太材１２の長さ方向に沿って隣接する第１床パネル１３ａ又は第２床パネル１３ｂ同士を各端部が同一直線上に位置するように配置してもよい。
・  ２本の根太材１２間に架設される長さを有する床パネルを使用してもよく、４本又は６本以上の根太材１２間に架設される長さを有する床パネルを使用してもよい。
【００５８】
・  第１又は第２床パネル１３ａ，１３ｂの両側縁のうち少なくともいずれか一方の折り曲げ片１９を省略し、各床パネル１３ａ，１３ｂの幅方向に位置する係合片２０及び係合溝２１を２箇所又は１箇所に形成してもよい。
【００５９】
・  第１床パネル１３ａと第２床パネル１３ｂとがそれぞれ長さ方向に沿って隣接し、第１架設位置又は第２架設位置にあるとき、両床パネル１３ａ，１３ｂの端部同士の間隙２５の間隔を５ｍｍ未満又は５ｍｍ以上に設定してもよく、間隙２５を省略してもよい。又は、第１床パネル１３ａ又は第２床パネル１３ｂが第１架設位置にあり、他方が第２架設位置にあるとき、両床パネル１３ａ，１３ｂの端部同士の間隙２５の間隔を１ｍｍ未満又は１ｍｍ以上に設定してもよく、間隙２５を省略してもよい。
【００６０】
・  実施形態では、Ｃ型鋼１６の上部側の支持突部１７に係合片２０を係合させたが、各折り曲げ片１９を実施形態より長く下方へ折り曲げ、係合片２０を上下２段に形成し、上下両側の支持突部１７が係合可能に形成してもよい。
【００６１】
・  第１又は第２床パネル１３ａ，１３ｂが第２架設位置に配置されたとき、Ｃ型鋼１６の上部側の支持突部１７に係合片２０が係合するとともに、下部側の支持突部１７上面に係合片２０の下端面が当接するよう係合片２０の上下方向への長さ又はＣ型鋼１６の上下の支持突部１７の間隔を調整してもよい。このように構成した場合、第１及び第２床パネル１３ａ，１３ｂの上下移動を規制することができるとともに、各床パネル１３ａ，１３ｂを安定した状態で支持することができる。
【００６２】
・  実施形態では根太材１２の長さ方向に対して直交して配設される第１床パネル１３ａ又は第２床パネル１３ｂのいずれか一方を第１架設位置へ水平移動させたが、第一及び第２床パネル１３ａ，１３ｂを第１架設位置へ水平移動させて根太材１２から取り外してもよい。
【００６３】
・  第１又は第２床パネル１３ａ，１３ｂにおいて、その長さ方向に延びる中心線に沿った部分以外に凹溝１９ａを１箇所又は２箇所以上形成してもよい。凹溝１９ａを２箇所以上形成した場合、くさび２２を打ち込む箇所を多数にして第１又は第２床パネル１３ａ，１３ｂを根太材１２に強固に固定することができる。
【００６４】
・  第１及び第２床パネル１３ａ，１３ｂの凹溝１９ａ以外の部分に挿通孔１９ｂを形成して、係合片２０と支持突部１７との係合部分の反対側以外の位置にくさび２２を打ち込んでもよい。又は凹溝１９ａを省略して、挿通孔１９ｂのみを形成してもよい。
【００６５】
・  第１又は第２床パネル１３ａ，１３ｂを第２架設位置に配置したとき、根太材１２の一対のＣ型鋼１６間に形成されている溝に対応するように第１及び第２床パネル１３ａ，１３ｂに透孔を形成し、その透孔から前記溝又はＣ型鋼１６上面にくさび２２を打ち込んで各床パネル１３ａ，１３ｂを根太材１２に固定してもよい。
【００６６】
・  第２架設位置にある第１又は第２床パネル１３ａ，１３ｂの他端側に形成された係止片１９ｄの端縁と、その係止片１９ｄを支持している根太材１２のＣ型鋼１６間の溝との間に形成される隙間２３に位置決め部材としての杭又は支持体１５間の長さに対応する板材を打ち込む。そして、Ｃ型鋼１６と第１又は第２床パネル１３ａ，１３ｂの係止片１９ｄの端縁と杭又は板材に当接させて第１又は第２床パネル１３ａ，１３ｂ第１架設位置への移動を規制してもよい。
【００６７】
・  図９（ａ）に示すようなくさび２２を使用してもよい。このくさび２２は厚みが前記凹溝１９ａの間隔とほぼ同じに形成されている。くさび２２の下端部には前記嵌合片２２ａが突設され、くさび２２の一側縁には前記係止凸部２２ｂが形成されている。くさび２２の中央部の両側には係止凹所２２ｄが形成されている。また、隙間２３に嵌合片２２ａを嵌合した状態において、図９（ｂ）に示す専用の取り外し工具２６を使用することによりくさび２２を取り外すことができるようになっている。この取り外し工具２６は金属板により形成され、その中央部分に切り込みを入れるとともに、その切り込み部分の基端部を中心に先端側を外方へ折り曲げて弾性片２６ａを形成する。この弾性片２６ａは前記係止凹所２２ｄに係止可能に形成されている。
【００６８】
そして、図１０（ａ）に示すように、隙間２３に嵌合されたくさび２２の一側面と凹溝１９ａとの間に、取り外し工具２６を、前記弾性片２６ａの基端部側から差し込むと、弾性片２６ａは取り外し工具２６側へ弾性変形して取り外し工具２６の差込を許容する。さらに、取り外し工具２６を差し込むと、弾性片２６ａが外方へ弾性変形して係止凹所２２ｄに係止する。図１０（ｂ）に示すように、この係止状態で取り外し工具２６を上方へ引き抜くと、取り外し工具２６とともに、くさび２２が上方へ引き抜かれて隙間２３から取り外すことができる。
【００６９】
従って、取り外し工具２６を使用することにより隙間２３からの取り外し作業を容易に行うことができる。また、くさび２２を専用の取り外し工具２６を使用して取り外すため、一般の工具を使用してくさび２２が取り外せる場合と異なり、誰でもくさび２２を取り外せてしまうといった不具合をなくすことができる。さらに、係止凹所２２ｄの形状を変更することにより、その係止凹所２２ｄに対応した弾性片２６ａを備えた取り外し工具２６を使用した場合のみくさび２２を取り外すことができず、誰でもくさび２２を取り外せてしまうといった不具合をなくすことができる。
【００７０】
・  第１床パネル１３ａの中央の３箇所の隙間２３に対してくさび２２を打ち込んだが、中央の隙間２３のうち少なくともいずれか１箇所にくさび２２を打ち込んでもよい。各切り欠き溝１９ｃの両内側縁から係合片２０を形成して、第１又は第２床パネル１３ａ，１３ｂをそれぞれ両端側へ移動可能に形成してもよい。くさび２２を嵌合片２２ａのみを形成した四角板状に形成して、係止凸部２２ｂ及び突片２２ｃを省略してもよい。
【００７１】
・  実施形態ではビル内における二重床構造に具体化したが、一戸建て住宅、工場、集合住宅等の二重床構造に具体化してもよい。
さらに、前記実施形態より把握できる技術的思想について以下に記載する。
【００７２】
・  前記床パネルには長さ方向に沿って複数箇所に係合部が形成されている請求項１〜請求項１０のいずれか一項に記載の二重床構造。このように構成した場合、床パネルの複数の係合部に対して複数の根太材の被係合部が係合して床パネルの上方への浮き上がりを効果的に防止することができる。
【００７３】
・  前記根太材の長さ方向に沿って隣接して配設される床パネル同士はその端面位置がずれるように交互に配置される請求項１〜請求項１０のいずれか一項に記載の二重床構造。このように構成した場合、床パネルの長さ方向に外力が作用したとき、その外力を各床パネルに分配して基礎床上に配設された根太材が全体的に倒れたりするおそれをなくすことができる。
【００７４】
・  前記係合部は、１つの根太材の長さ方向に連続して延びる被係合部に対して複数箇所で係合すべく複数箇所に形成されている請求項１〜請求項１０のいずれか一項に記載の二重床構造。このように構成した場合、１つの根太材の被係合部に対して係合部が１箇所で係合している場合と比較して、床パネルの根太材上での移動を確実に規制することができる。
【００７５】
・  前記被係合部は根太材の長さ方向に沿って連続して延びるとともに、根太材の両側面に形成されている請求項１〜請求項１０のいずれか一項に記載の二重床構造。このように構成した場合、係合部をいずれの方向からも被係合部に係合させることができる。従って、第１架設位置から第２架設位置への水平移動方向を考慮せずに床パネルを根太材上に架設支持させることができ、その架設支持作業を速やかに行うことができる。
【００７６】
【発明の効果】
以上詳述したように、この発明によれば、次のような効果を奏する。
請求項１に記載の発明の二重床構造によれば、床パネルの上方への浮き上がりを防止して配設することができる。
【００７７】
請求項２に記載の発明の二重床構造によれば、請求項１に記載の発明の効果に加え、位置決め部材による床パネルの位置決め作業を容易に行うことができる。請求項３に記載の発明の二重床構造によれば、請求項２に記載の発明の効果に加え、隙間が形成されず床パネルから根太材に位置決め部材を直接打ち込む場合と異なり、床パネルの位置決め作業の簡易化を図ることができる。
【００７８】
請求項４に記載の発明の二重床構造によれば、請求項３に記載の発明の効果に加え、床パネルの第２架設位置から第１架設位置への移動を効果的に防止することができる。
【００７９】
請求項５に記載の発明の二重床構造によれば、請求項３又は請求項４に記載の発明の効果に加え、床パネルに位置決め部材を直接打ち込む場合と異なり、床パネルの位置決め作業の簡易化を図ることができる。
【００８０】
請求項６に記載の発明の二重床構造によれば、請求項５に記載の発明の効果に加え、溝に位置決め部材を収容することができ、床パネル上面から位置決め部材が突出するのを防止することができる。
【００８１】
請求項７に記載の発明の二重床構造によれば、請求項１〜請求項６のいずれか一項に記載の発明の効果に加えて、間隙に指を挿入することができ、床パネルの根太材に対する配置作業及び取外作業を容易に行うことができるとともに、配線又は配管材の配設空間への配線作業の短時間化を図ることができる。
【００８２】
請求項８に記載の発明の二重床構造によれば、請求項７に記載の発明の効果に加えて、床パネル上の歩行を容易に行うことができ、配線又は配管材の配設空間への配線作業を円滑に行うことができる。
【００８３】
請求項９に記載の発明の二重床構造によれば、請求項１〜請求項８のいずれか一項に記載の発明の効果に加えて、床パネルの上方への移動を効果的に規制することができる。
【００８４】
請求項１０に記載の発明の二重床構造によれば、請求項１〜請求項９のいずれか一項に記載の発明の効果に加えて、２本の根太材間に架設支持される場合と比較して、床パネルを安定して支持することができ、床パネル上に人や重いものが載置されても確実に支持することができる。
【図面の簡単な説明】
【図１】  実施形態の二重床構造を示す分解斜視図。
【図２】  実施形態の根太材を示す斜視図。
【図３】  実施形態の根太材を示す分解斜視図。
【図４】  （ａ）は実施形態の第１及び第２床パネルを示す斜視図、（ｂ）は第１床パネルを示す側面図。
【図５】  根太材上に第１又は第２床パネルを配置する状態の部分側面図。
【図６】  根太材に係止溝を係止させた状態を示す部分側面図。
【図７】  第１又は第２床パネルを第２架設位置へ配置した部分側面図。
【図８】  くさびを打ち込んだ状態を示す部分破断側面図。
【図９】  （ａ）は別例のくさびを示す斜視図、（ｂ）は取り外し工具を示す斜視図。
【図１０】  （ａ）は取り外し工具を凹溝内に挿入した状態を示す断面図、（ｂ）は取り外し工具とともに、くさびを引き抜いた状態を示す断面図。
【符号の説明】
１１…基礎床、１２…根太材、１３ａ…第１床パネル、１３ｂ…第２床パネル、１７…被係合部としての支持突部、１９ａ…凹溝、１９ｂ…挿通孔、２０…係合部としての係合片、２２…位置決め部材としてのくさび、２３…隙間、２４…仕上材、２５…間隙。
【図１】
0004440445.tif 000002
【図２】
0004440445.tif 000003
【図３】
0004440445.tif 000004
【図４】
0004440445.tif 000005
【図５】
0004440445.tif 000006
【図６】
0004440445.tif 000007
【図７】
0004440445.tif 000008
【図８】
0004440445.tif 000009
【図９】
0004440445.tif 000010
【図１０】
0004440445.tif 000011